(57)【要約】【課題】液体を貯留するタンクに連結してあるブラシを交換することができる洗浄用具及びブラシ、並びにブラシの製造方法を提供する。【解決手段】液体を貯留するタンク１に設けてあり、液体を通流する通流口Ａに雄ねじ部１１を設け、ブラシ本体３０を支持する支持筒２０の一端部に雌ねじ部２１を設けることにより、雌ねじ部２１及び雄ねじ部１１を螺合して、支持筒２０を通流口Ａに連結し、ブラシ本体３０の摩耗及び変形によって洗浄能力が低下したときに、前記螺合を解除して、ブラシを交換する構成とした。【選択図】図２
2009160168.tif 000002
【特許請求の範囲】
【請求項１】
ブラシ本体と、
一端側をタンクに着脱可能に連結し、他端側の開口に前記ブラシ本体を支持して、タンク内の液体を前記ブラシ本体に供給するようにしてある支持筒と
を備えることを特徴とするブラシ。
【請求項２】
前記支持筒をタンクに螺合連結するようにしてあることを特徴とする請求項１に記載のブラシ。
【請求項３】
前記支持筒の他端側の開口は、前記支持筒の軸心に対して傾斜させてあることを特徴とする請求項１又は２に記載のブラシ。
【請求項４】
前記ブラシ本体に供給される液体の流量を調節する弁体を備えることを特徴とする請求項１乃至３のいずれか一つに記載のブラシ。
【請求項５】
前記支持筒の連結部分を封止する封止部を備えることを特徴とする請求項１乃至４のいずれか一つに記載のブラシ。
【請求項６】
前記弁体及び封止部を一体に成形してあることを特徴とする請求項５に記載のブラシ。
【請求項７】
前記支持筒の内側に、前記支持筒を長手方向に分離する隔壁が設けてあり、
該隔壁に複数の貫通孔が設けてあり、
該貫通孔に挿通して、前記隔壁に係止してある紐体を備え、
該紐体に前記ブラシ本体を結合してあること
を特徴とする請求項１乃至６のいずれか一つに記載のブラシ。
【請求項８】
請求項７に記載のブラシの製造方法において、
複数の毛体を並置し、並置した複数の毛体の中央部分をそれぞれ連結し、連結した毛体を巻回し、巻回した毛体を帯体により結束してブラシ本体を製造し、前記帯体と前記紐体とを連結してブラシを製造することを特徴とするブラシの製造方法。
【請求項９】
請求項１乃至７のいずれか一つに記載のブラシと、
前記支持筒を連結してあるタンクと
を備えることを特徴とする洗浄用具。
【請求項１０】
前記タンクは、可撓性を有する部材により成形してあることを特徴とする請求項９に記載の洗浄用具。
【請求項１１】
前記タンクの底部から外向きに張り出しており、前記タンクを安定に載置するための安定部を備えることを特徴とする請求項９又は１０に記載の洗浄用具。 
【発明の詳細な説明】
【技術分野】
【０００１】
本発明は、物体を洗浄するための洗浄用具及び洗浄用具に使用するブラシ、並びにブラシの製造方法に関する。
【背景技術】
【０００２】
従来の洗浄用具は、液体を貯留するタンクを備えており、該タンクは、液体が通流する通流口を備えている。該通流口に、物体を洗浄するブラシ本体を支持する支持筒を一体に設けてある。前記通流口に、液体が通流する通流管を、前記タンク及び支持筒に亘って挿通してあり、物体を洗浄するときには、前記通流管を通して前記ブラシ本体へ液体を供給する構成にしてある。（特許文献１参照）。
【特許文献１】特開平１０−３３２６４号公報
【発明の開示】
【発明が解決しようとする課題】
【０００３】
特許文献１に記載の洗浄用具は、前記支持筒を前記タンクに一体に設けてあり、前記ブラシ本体の摩耗及び変形によって洗浄能力が低下したときに、前記ブラシ本体を交換することができないという問題点があった。
【０００４】
本発明は斯かる事情に鑑みてなされたものであり、水又は洗浄液等の液体を貯留するタンクに、物体を洗浄するブラシ本体と、該ブラシ本体を支持する支持筒とを備えるブラシを、着脱可能に連結することにより、前記ブラシ本体の摩耗及び変形によって洗浄能力が低下したときに、前記ブラシを取り外して、前記ブラシ本体を交換することができるブラシ及び洗浄用具を提供することを目的とする。
【０００５】
また前記支持筒をタンクに螺合連結することにより、前記ブラシ本体の摩耗及び変形によって洗浄能力が低下したときに、螺合を解除して、前記ブラシ本体を交換することができるブラシ及び洗浄用具を提供することを目的とする。
【０００６】
また前記支持筒の前記ブラシ本体側の開口を、前記支持筒の軸心に対し傾斜させて成形することにより、前記開口を前記支持筒の軸心に対し直角に成形した場合に比して、開口面積を大きくし、多量のブラシ本体を前記支持筒から露出させて、ブラシ本体が物体に接触する面積を大きくすることができるブラシ及び洗浄用具を提供することを目的とする。
【０００７】
また前記ブラシ本体に供給される液体の流量を調節する弁体を設けることにより、洗浄に必要な量の液体を前記ブラシ本体に供給し、物体の、洗浄が不要な部分に液体が拡散することを防ぐことができるブラシ及び洗浄用具を提供することを目的とする。
【０００８】
また前記支持筒の連結部分を封止する封止部を設けることにより、前記タンクと前記支持筒との隙間を封止し、前記タンクから前記ブラシ本体に供給される液体が、前記隙間から漏出することを防ぐことができるブラシ及び洗浄用具を提供することを目的とする。
【０００９】
また前記弁体及び封止部を一体に成形することにより、前記弁体及び封止部をそれぞれ製造して、前記支持筒に設ける場合に比して、部品点数を削減し、簡素な構成にすることができるブラシ及び洗浄用具を提供することを目的とする。
【００１０】
また前記支持筒の内側に、前記支持筒を長手方向に分離する隔壁を設け、該隔壁に複数の貫通孔を設け、複数の該貫通孔に紐体を挿通して、該紐体を前記隔壁に係止し、前記紐体に前記ブラシ本体を結合することにより、前記ブラシ本体を前記支持筒に植設する場合には、前記ブラシ本体を植設できる部分の面積の大きさにより、前記ブラシ本体の大きさが制約されるが、前記制約を回避し、大型のブラシ本体を設けて洗浄能力を向上させることができるブラシ及び洗浄用具を提供することを目的とする。
【００１１】
また複数の毛体を並置し、並置した複数の毛体の中央部分をそれぞれ連結し、連結した毛体を巻回し、巻回した毛体を帯体により結束してブラシ本体を製造し、前記帯体と前記紐体とを連結することにより、密集した毛体を有するブラシを簡便に製造することができるブラシの製造方法を提供することを目的とする。
【００１２】
また前記タンクを、可撓性を有する部材により成形することにより、前記ブラシ本体に供給する液体を増加させるときに、前記タンクを握持して、前記タンク内の圧力を高め、前記ブラシ本体に供給される液体の量を増加させることができる洗浄用具を提供することを目的とする。
【００１３】
また前記タンクの底部から外向きに張り出しており、前記タンクを安定に載置するための安定部を設けることにより、前記タンクの底面積を大きくし、洗浄を行わないときには、前記タンクを安定に載置することができる洗浄用具を提供することを目的とする。
【課題を解決するための手段】
【００１４】
第１発明に係るブラシは、ブラシ本体と、一端側をタンクに着脱可能に連結し、他端側の開口に前記ブラシ本体を支持して、タンク内の液体を前記ブラシ本体に供給するようにしてある支持筒とを備えることを特徴とする。
【００１５】
第２発明に係るブラシは、前記支持筒をタンクに螺合連結するようにしてあることを特徴とする。
【００１６】
第３発明に係るブラシは、前記支持筒の他端側の開口は、前記支持筒の軸心に対して傾斜させてあることを特徴とする。
【００１７】
第４発明に係るブラシは、前記ブラシ本体に供給される液体の流量を調節する弁体を備えることを特徴とする。
【００１８】
第５発明に係るブラシは、前記支持筒の連結部分を封止する封止部を備えることを特徴とする。
【００１９】
第６発明に係るブラシは、前記弁体及び封止部を一体に成形してあることを特徴とする。
【００２０】
第７発明に係るブラシは、前記支持筒の内側に、前記支持筒を長手方向に分離する隔壁が設けてあり、該隔壁に複数の貫通孔が設けてあり、該貫通孔に挿通して、前記隔壁に係止してある紐体を備え、該紐体に前記ブラシ本体を結合してあることを特徴とする。
【００２１】
第８発明に係るブラシは、第７発明に係るブラシの製造方法において、複数の毛体を並置し、並置した複数の毛体の中央部分をそれぞれ連結し、連結した毛体を巻回し、巻回した毛体を帯体により結束してブラシ本体を製造し、前記帯体と前記紐体とを連結してブラシを製造することを特徴とする。
【００２２】
第９発明に係る洗浄用具は、第１発明乃至第７発明のいずれか一つに係るブラシと、前記支持筒を連結してあるタンクとを備えることを特徴とする。
【００２３】
第１０発明に係る洗浄用具は、前記タンクは、可撓性を有する部材により成形してあることを特徴とする。
【００２４】
第１１発明に係る洗浄用具は、前記タンクの底部から外向きに張り出しており、前記タンクを安定に載置するための安定部を備えることを特徴とする。
【００２５】
第１発明に係るブラシ及び第９発明に係る洗浄用具においては、水又は洗浄液等の液体を貯留するタンクに、物体を洗浄するブラシ本体と、該ブラシ本体を支持する支持筒とを備えるブラシを、着脱可能に連結することにより、前記ブラシ本体の摩耗及び変形によって洗浄能力が低下したときに、前記ブラシを取り外して、前記ブラシ本体を交換する。
【００２６】
第２発明に係るブラシ及び第９発明に係る洗浄用具においては、前記支持筒をタンクに螺合連結することにより、前記ブラシ本体の摩耗及び変形によって洗浄能力が低下したときに、螺合を解除して、前記ブラシ本体を交換する。
【００２７】
第３発明に係るブラシ及び第９発明に係る洗浄用具においては、前記支持筒の前記ブラシ本体側の開口を、前記支持筒の軸心に対し傾斜させて成形することにより、前記開口を前記支持筒の軸心に対し直角に成形した場合に比して、開口面積を大きくし、多量のブラシ本体を前記支持筒から露出させる。
【００２８】
第４発明に係るブラシ及び第９発明に係る洗浄用具においては、前記ブラシ本体に供給される液体の流量を調節する弁体を設けることにより、洗浄に必要な量の液体を前記ブラシ本体に供給する。
【００２９】
第５発明に係るブラシ及び第９発明に係る洗浄用具においては、前記支持筒の連結部分を封止する封止部を設けることにより、前記タンクと前記支持筒との隙間を封止する。
【００３０】
第６発明に係るブラシ及び第９発明に係る洗浄用具においては、前記弁体及び封止部を一体に成形することにより、前記弁体及び封止部をそれぞれ製造して、前記支持筒に設ける場合に比して、部品点数を削減する。
【００３１】
第７発明に係るブラシ及び第９発明に係る洗浄用具においては、前記支持筒の内側に、前記支持筒を長手方向に分離する隔壁を設け、該隔壁に複数の貫通孔を設け、複数の該貫通孔に紐体を挿通して、該紐体を前記隔壁に係止し、前記紐体に前記ブラシ本体を結合することにより、前記ブラシ本体を前記支持筒に植設する場合には、前記ブラシ本体を植設できる部分の面積の大きさにより、前記ブラシ本体の大きさが制約されるが、前記制約を回避する。
【００３２】
第８発明に係るブラシの製造方法においては、複数の毛体を並置し、並置した複数の毛体の中央部分をそれぞれ連結し、連結した毛体を巻回し、巻回した毛体を帯体により結束してブラシ本体を製造し、前記帯体と前記紐体とを連結することにより、密集した毛体を有するブラシを簡便に製造する。
【００３３】
第１０発明に係る洗浄用具においては、前記タンクを、可撓性を有する部材により成形することにより、前記ブラシ本体に供給する液体を増加させるときに、前記タンクを握持して、前記タンク内の圧力を高める。
【００３４】
第１１発明に係る洗浄用具においては、前記タンクの底部から外向きに張り出しており、前記タンクを安定に載置するための安定部を設けることにより、タンクの底面積を大きくする。
【発明の効果】
【００３５】
第１発明に係るブラシ及び第９発明に係る洗浄用具にあっては、水又は洗浄液等の液体を貯留するタンクに、物体を洗浄するブラシ本体と、該ブラシ本体を支持する支持筒とを備えるブラシを、着脱可能に連結することにより、前記ブラシ本体の摩耗及び変形によって洗浄能力が低下したときに、前記ブラシを取り外して、前記ブラシ本体を交換することができる。
【００３６】
第２発明に係るブラシ及び第９発明に係る洗浄用具にあっては、前記支持筒をタンクに螺合連結することにより、前記ブラシ本体の摩耗及び変形によって洗浄能力が低下したときに、螺合を解除して、前記ブラシ本体を交換することができる。
【００３７】
第３発明に係るブラシ及び第９発明に係る洗浄用具にあっては、前記支持筒の前記ブラシ本体側の開口を、前記支持筒の軸心に対し傾斜させて成形することにより、前記開口を前記支持筒の軸心に対し直角に成形した場合に比して、開口面積を大きくし、多量のブラシ本体を前記支持筒から露出させて、ブラシ本体が物体に接触する面積を大きくすることができる。
【００３８】
第４発明に係るブラシ及び第９発明に係る洗浄用具にあっては、前記ブラシ本体に供給される液体の流量を調節する弁体を設けることにより、洗浄に必要な量の液体を前記ブラシ本体に供給し、物体の、洗浄が不要な部分に液体が拡散することを防ぐことができる。
【００３９】
第５発明に係るブラシ及び第９発明に係る洗浄用具にあっては、前記支持筒の連結部分を封止する封止部を設けることにより、前記タンクと前記支持筒との隙間を封止し、前記タンクから前記ブラシ本体に供給される液体が、前記隙間から漏出することを防ぐことができる。
【００４０】
第６発明に係るブラシ及び第９発明に係る洗浄用具にあっては、前記弁体及び封止部を一体に成形することにより、前記弁体及び封止部をそれぞれ製造して、前記支持筒に設ける場合に比して、部品点数を削減し、簡素な構成にすることができる。
【００４１】
第７発明に係るブラシ及び第９発明に係る洗浄用具にあっては、前記支持筒の内側に、前記支持筒を長手方向に分離する隔壁を設け、該隔壁に複数の貫通孔を設け、複数の該貫通孔に紐体を挿通して、該紐体を前記隔壁に係止し、前記紐体に前記ブラシ本体を結合することにより、前記ブラシ本体を前記支持筒に植設する場合には、前記ブラシ本体を植設できる部分の面積の大きさにより、前記ブラシ本体の大きさが制約されるが、前記制約を回避し、大型のブラシ本体を設けて洗浄能力を向上させることができる。
【００４２】
第８発明に係るブラシの製造方法にあっては、複数の毛体を並置し、並置した複数の毛体の中央部分をそれぞれ連結し、連結した毛体を巻回し、巻回した毛体を帯体により結束してブラシ本体を製造し、前記帯体と前記紐体とを連結することにより、密集した毛体を有するブラシを簡便に製造することができる。
【００４３】
第１０発明に係る洗浄用具にあっては、前記タンクを、可撓性を有する部材により成形することにより、前記ブラシ本体に供給する液体を増加させるときに、前記タンクを握持して、前記タンク内の圧力を高め、前記ブラシ本体に供給される液体の量を増加させることができる。
【００４４】
第１１発明に係る洗浄用具にあっては、前記タンクの底部から外向きに張り出しており、前記タンクを安定に載置するための安定部を設けることにより、前記タンクの底面積を大きくし、洗浄を行わないときには、前記タンクを安定に載置することができる。
【発明を実施するための最良の形態】
【００４５】
（実施の形態１）
以下本発明を実施の形態１に係る洗浄用具及びブラシを示す図面に基づいて詳述する。図１は洗浄用具の略示正面図、図２は洗浄用具の略示部分縦断面図である。
【００４６】
図において１は、水又は洗浄水等の液体を貯留する有底円筒状のタンクであり、該タンク１は可撓性部材により成形されている。前記タンク１の底部に、外向きに張り出した複数の安定部１０、１０、・・・が設けてある。該安定部１０は、底面近傍の側面を膨出して形成されている。また前記タンク１の頂部には雄ねじ部１１が形成されており、前記頂部の端末は液体が通流する通流口Ａになっている。
【００４７】
前記雄ねじ部１１に、後述するブラシ本体３０と、該ブラシ本体３０を支持する円筒状の支持筒２０とを備えるブラシ２を連結してある。前記支持筒２０の一端部の内周面に雌ねじ部２１を形成してあり、該雌ねじ部２１と前記雄ねじ部１１とを螺合してある。また前記支持筒２０の一端部の外周面に、複数の突部２０ａ、２０ａ、・・・が設けてある。該突部２０ａ、２０ａ、・・・は、前記支持筒２０を握持して回転させるときに滑り止めとして機能する。
前記雌ねじ部２１の近傍に、前記支持筒２０の連結部分を封止する封止部２２を設けてある。該封止部２２は、前記支持筒２０の内側に沿って設けてある円環部２２ａと、該円環部２２ａの内縁から前記通流口Ａに向けて延出しており、前記通流口Ａの内側に接触する筒状の接触部２２ｂとを備える。該接触部２２ｂ及び円環部２２ａにより前記通流口Ａの周縁が封止され、液体が前記連結部分から漏出しない構成になっている。
【００４８】
前記接触部２２ｂの内側に、液体が通流する複数の通流孔２６ａを備える円盤状の弁体２６が設けてある。該弁体２６は前記接触部２２ｂと一体に成形されている。前記弁体２６は、前記通流孔２６ａの数及び面積により、液体の流量を調整する構成になっている。
【００４９】
前記弁体２６と、前記支持筒２０の他端部の開口Ｂとの間に、前記支持筒２０の内部空間を長手方向に分離する隔壁２３が設けてある。該隔壁２３は前記支持筒２０の軸心に対し略直角に配置してあり、前記隔壁２３の中央部分には二つの貫通孔２３ａ、２３ａが設けてある。
一方の前記貫通孔２３ａに、紐体２４の一端部を通して、前記隔壁２３の一面側から他面側へ挿通し、更に他方の前記貫通孔２３ａに通して、前記他面側から一面側へ挿通してある。そして前記一端部を、連結部材２５を介して他端部に連結し、前記紐体２４を円環状にして、前記紐体２４を前記隔壁２３に係止してある。なお前記開口Ｂは、前記支持筒２０の軸心に対し傾斜している。
【００５０】
前記開口Ｂに、物体を洗浄するブラシ本体３０を配置してある。該ブラシ本体３０は、多数の毛体３１と、該毛体３１を束ねる帯体３２とを備えており、該帯体３２は前記紐体２４と連結している。なお前記毛体３１は前記開口Ｂから露出している。
【００５１】
次にブラシの製造方法について説明する。図３及び図４はブラシの製造方法を説明する説明図である。
まず多数の毛体３１を、毛体３１に対して垂直な方向に並置する（図３（ａ）参照）。次に図３（ｂ）の斜線部にて示す如く、毛体３１の中央部分を互いに縫い合わせて、多数の毛体３１を連結する（図３（ｂ）参照）。そして連結した毛体３１を、毛体３１に対して直角な方向に巻回し、ドラム状にする（図３（ｃ）参照）。次に、ドラム状にした毛体３１の側面中央部を環状の帯体３２により結束する（図３（ｄ）参照）。
【００５２】
そして前記紐体２４を前記帯体３２に挿通する（図４（ｅ）参照）。次に図４（ｅ）の矢印にて示す如く、前記帯体３２を収縮して毛体３１を緊締し、毛体３１の両端を反らして、前記帯体３２を核とした多数の毛体３１からなる球体を形成する（図４（ｆ）参照）。次に前記帯体３２に挿通した紐体２４を前記貫通孔２３ａ、２３ａに挿通して、前記紐体２４を前記隔壁２３に係止し、前記ブラシ本体３０と、前記支持筒２０とを連結する（図４（ｇ）参照）。
【００５３】
次に洗浄用具の使用方法について説明する。図５は洗浄用具の使用状態を示す模式図である。
物体を洗浄する前に、前記雄ねじ部１１と、前記雌ねじ部２１との螺合を解除して、前記ブラシ２と、前記タンク１とを分離する。そして前記タンク１に、水又は洗浄液等の液体を注入する。液体の注入が終了したときに、前記雄ねじ部１１と雌ねじ部２１とを螺合して、前記ブラシ２と、前記タンク１とを連結する。
【００５４】
物体を洗浄するときには、前記ブラシ本体３０を物体に接触させて、前記タンク１の底部を上方に持ち上げる。このとき複数の通流孔２６ａ及び貫通孔２３ａ、２３ａを通って、液体が前記ブラシ本体３０に供給される。このとき、必要に応じてタンク１の側面を握持してタンク１の内圧を高め、供給される液体を増加させる。そして図５に示す如く、液体が供給された前記ブラシ本体３０により物体を研磨する。
なおブラシ本体３０の摩耗及び変形によって洗浄能力が低下したときには、ブラシ２を取り外して新たなブラシ２に交換する。
【００５５】
実施の形態１に係る洗浄用具及びブラシ２にあっては、前記通流口Ａに雄ねじ部１１を設け、前記支持筒２０の一端部に雌ねじ部２１を設けることにより、前記雌ねじ部２１及び雄ねじ部１１を螺合して、前記支持筒２０を前記通流口Ａに連結し、前記ブラシ本体３０の摩耗及び変形によって洗浄能力が低下したときに、前記螺合を解除して、前記ブラシ本体３０を交換することができる。
【００５６】
また実施の形態１に係る洗浄用具及びブラシ２にあっては、前記開口Ｂを、前記支持筒２０の軸心に対し傾斜させて成形することにより、前記開口Ｂを前記支持筒２０の軸心に対し直角に成形した場合に比して、開口面積を大きくし、多量のブラシ本体３０を前記支持筒２０から露出させて、ブラシ本体３０が物体に接触する面積を大きくすることができる。
【００５７】
また実施の形態１に係る洗浄用具及びブラシ２にあっては、前記通流口Ａから排出された液体の流量を調節する弁体２６を設けることにより、洗浄に必要な量の液体を前記ブラシ本体３０に供給し、物体の、洗浄が不要な部分に液体が拡散することを防ぐことができる。また前記弁体２６は、前記紐体２４に対する視認性を低下させる目隠しにもなる。
【００５８】
また実施の形態１に係る洗浄用具及びブラシ２にあっては、前記支持筒２０の連結部分を封止する封止部２２を設けることにより、前記通流口Ａと、前記支持筒２０との隙間を封止し、前記通流口Ａを通流する液体が前記隙間から漏出することを防ぐことができる。
【００５９】
また実施の形態１に係る洗浄用具及びブラシ２にあっては、前記弁体２６及び封止部２２を一体に成形することにより、前記弁体２６及び封止部２２をそれぞれ製造して、前記支持筒２０又は通流口Ａに設ける場合に比して、部品点数を削減し、簡素な構成にすることができる。
【００６０】
また実施の形態１に係る洗浄用具及びブラシ２にあっては、前記支持筒２０の内側に隔壁２３を設け、該隔壁２３に二つの貫通孔２３ａ、２３ａを設け、二つの該貫通孔２３ａ、２３ａに紐体２４を挿通して、該紐体２４を前記隔壁２３に係止し、前記紐体２４に前記ブラシ本体３０を結合することにより、前記ブラシ本体３０を前記支持筒２０に植設する場合には、前記ブラシ本体３０を植設できる部分の面積の大きさにより、前記ブラシ本体３０の大きさが制約されるが、前記制約を回避し、大型のブラシ本体３０を設けて洗浄能力を向上させることができる。
【００６１】
また実施の形態１に係るブラシ２の製造方法にあっては、複数の毛体３１を並置し、並置した複数の毛体３１の中央部分をそれぞれ連結し、連結した毛体３１を巻回し、巻回した毛体３１を帯体３２により結束してブラシ本体３０を製造し、前記帯体３２と前記紐体２４とを連結することにより、密集した毛体３１を有するブラシ２を簡便に製造することができる。
【００６２】
また実施の形態１に係る洗浄用具にあっては、前記タンク１を、可撓性を有する部材により成形することにより、前記ブラシ本体３０に供給する液体を増加させるときに、前記タンク１を握持して、前記タンク１内の圧力を高め、前記ブラシ本体３０に供給される液体の量を増加させることができる。
【００６３】
また実施の形態１に係る洗浄用具にあっては、前記タンク１の底部から外向きに張り出しており、タンク１を安定に載置するための安定部１０を設けることにより、前記タンク１の底面積を大きくし、前記タンク１を安定に載置することができる。特に該安定部１０に液体が貯留しているときには、該安定部１０が重しとなり、更に安定する。
【００６４】
なお前記ブラシ本体３０はスポンジでも良い。また前記雄ねじ部１１及び雌ねじ部２１に代えて、密着可能な弾性部材、シール、リング等を前記通流口Ａ及び支持筒２０に設けて、前記ブラシ２及びタンク１を着脱する構成にしても良い。また前記弁体２６を設けずに、前記貫通孔２３ａ、２３ａで液体の流量を調節する構成にしても良い。また雄ねじ部１１を支持筒２０に設け、雌ねじ部２１をタンク１に設ける構成であっても良い。また封止部２２と弁体２６とを一体成形せず、封止部２２を支持筒２０に設け、弁体をタンク１の通流口Ａの内側に設ける構成にしても良い。
【００６５】
（実施の形態２）
以下本発明を実施の形態２に係る洗浄用具及びブラシを示す図面に基づいて詳述する。図６は洗浄用具の略示正面図、図７は洗浄用具の略示部分縦断面図である。
【００６６】
前記ブラシ２がペットボトル１００の開口に取着してあり、前記雌ねじ部２１と、前記ペットボトル１００の開口に設けてある雄ねじ部１０１とを螺合してある。
前記支持筒２０の開口Ｃは、前記支持筒２０の軸心に対し略直角になっている。前記帯体３２と前記紐体２４とが連結し、前記開口Ｃから前記ブラシ本体３０が露出している。
【００６７】
物体を洗浄するときには、前記ペットボトル１００に予め、水又は洗浄液等の液体を注入しておく。そして前記ブラシ本体３０を洗浄する物体に接触させて、前記ペットボトル１００の底部を上方に持ち上げる。このとき複数の前記通流孔２６ａ及び貫通孔２３ａ、２３ａを通って、液体が前記ブラシ本体３０に供給される。そして前記ブラシ本体３０により物体を研磨する。
【００６８】
実施の形態２に係る洗浄用具及びブラシの構成の内、実施の形態１と同様な構成については、同じ符号を付しその詳細な説明を省略する。
【図面の簡単な説明】
【００６９】
【図１】実施の形態１に係る洗浄用具の略示正面図である。
【図２】実施の形態１に係る洗浄用具の略示部分縦断面図である。
【図３】実施の形態１に係るブラシの製造方法を説明する説明図である。
【図４】実施の形態１に係るブラシの製造方法を説明する説明図である。
【図５】実施の形態１に係る洗浄用具の使用状態を示す模式図である。
【図６】実施の形態２に係る洗浄用具の略示正面図である。
【図７】実施の形態２に係る洗浄用具の略示部分縦断面図である。
【符号の説明】
【００７０】
Ａ  通流口
Ｂ、Ｃ  開口
１  タンク
１ａ  安定部
１１  雄ねじ部
２０  支持筒
２１  雌ねじ部
２２  封止部
２３  隔壁
２３ａ  貫通孔
２６  弁体
２６ａ  通流孔
３０  ブラシ本体
３１  毛体
３２  帯体
【図１】
2009160168.tif 000003
【図２】
2009160168.tif 000004
【図３】
2009160168.tif 000005
【図４】
2009160168.tif 000006
【図５】
2009160168.tif 000007
【図６】
2009160168.tif 000008
【図７】
2009160168.tif 000009